(57)【要約】      （修正有）【課題】作業の効率化が可能な、車輪付きカートに装着して使用するポケットシステムを提供する。【解決手段】フレーム１０の下部に設けられた車輪１４を有し、フレーム１０は、上部横枠１１ａ，１１ｂと、この下方に位置する下部横枠１３ａ，１３ｂとを備えている車輪付きカートＢに装着して使用され、上部横枠に対して上縁部が連結され、下縁部に連結一方部材が設けられた支持パネル２０と、前面にポケットが形成されているとともに、上縁部に上記連結一方部材に連結可能な連結他方部材４１を備える複数種類のポケット部材とを備えており、その連結他方部材４１は、その横幅方向おいて並べ替え可能な構造であり、少なくとも、その上縁部が支持パネル２０に連結され、下縁部が下部横枠に連結される第１のポケット部材３１と、その上縁部が支持パネル２０に連結され、下縁部が他のポケット部材の上縁部に連結される第２のポケット部材３２とを含んでいる。【選択図】図１
2008104787.tif 000002
【特許請求の範囲】
【請求項１】
フレームと、このフレームの下部に設けられた車輪とを有し、上記フレームは、上部横枠と、この上部横枠の下方に位置する下部横枠とを備えている、車輪付きカートに装着して使用するポケットシステムであって、
上記フレームの上部横枠に対して上縁部が連結され、所定の横幅と所定の縦幅とを有するとともに、下縁部に連結一方部材が設けられた支持パネルと、
所定の横幅と所定の縦幅とを有するパネル部材の前面にポケットが形成されているとともに、上縁部に上記連結一方部材に連結可能な連結他方部材を備える複数種類のポケット部材と、を備えており、
上記複数種類のポケット部材に形成された上記連結他方部材は、上記複数種類のポケット部材を、その横幅方向おいて並べ替え可能な構造であり、
上記複数種類のポケット部材は、少なくとも、その上縁部が上記支持パネルに連結され、下縁部が上記フレームの下部横枠に連結される第１のポケット部材と、その上縁部が上記支持パネルに連結され、下縁部が他のポケット部材の上縁部に連結される第２のポケット部材とを含んでいることを特徴とする、車輪付きカートに装着して使用するポケットシステム。
【請求項２】
上記連結一方部材および上記連結他方部材として、互いに嵌合するホックを用いている、請求項１に記載の車輪付きカートに装着して使用するポケットシステム。
【請求項３】
上記複数種類のポケット部材の一部もしくは全部において、その上縁部が板状部材を内包する袋状に形成されている、請求項１または２に記載の車輪付きカートに装着して使用するポケットシステム。
【請求項４】
上記複数種類のポケット部材はさらに、上記第２のポケット部材の下縁部に上縁部が連結され、下縁部が上記フレームの下部横枠に連結される第３のポケット部材を含んでいる、請求項１ないし３のいずれかに記載の車輪付きカートに装着して使用するポケットシステム。
【請求項５】
上記第２のポケット部材と上記第３のポケット部材との連結は、上記第２のポケット部材の下縁部に設けた連結一方部材に上記第３のポケット部材の上縁部に設けた連結他方部材を連結することにより行う、請求項４に記載の車輪付きカートに装着して使用するポケットシステム。
【請求項６】
上記第１から第３のポケット部材の少なくともいずれかは、その上縁部に環状体形成手段を有している、請求項１ないし５のいずれかに記載の車輪付きカートに装着して使用するポケットシステム。
【請求項７】
上記第１のポケット部材または上記第３のポケット部材の下縁部の上記フレームの下部横枠に対する連結は、各ポケット部材の下縁部に設けた連結手段を上記下部横枠に巻き付けて行う、請求項４ないし６のいずれかに記載の車輪付きカートに装着して使用するポケットシステム。
【請求項８】
上記第２のポケット部材または上記第３のポケット部材は、横幅が異なる複数種類のものを含んでいる、請求項４ないし７のいずれかに記載の車輪付きカートに装着して使用するポケットシステム。
【請求項９】
上記第２ポケット部材と上記第３のポケット部材は、いずれも、上縁部に連結他方部材を備えるとともに、下縁部に連結一方部材と連結手段とを備え、上縁部が上記支持パネルに連結され、下縁部が他のポケット部材に連結される上記第２のポケット部材としても、上縁部が他のポケット部材の下縁部に連結され、下縁部が上記フレームの下部横枠に連結手段を介して連結される第３のポケット部材としても、共通に用いることができる、請求項４ないし８のいずれかに記載の車輪付きカートに装着して使用するポケットシステム。
【請求項１０】
上縁部が上記フレームの上部横枠に連結され、下縁部が連結手段を介して上記フレームの下部横枠に連結され、パネル部材の前面にポケットが形成された第４のポケット部材をさらに含んでいる、請求項４ないし９のいずれかに記載の車輪付きカートに装着して使用するポケットシステム。
【請求項１１】
上記車輪付きカートは、上部が開口し、底部を有する袋部材を支持するためのフックを上記フレームの上部横枠に複数個備えており、上記支持パネルの上縁部には上記フックに連結させることができる複数のハトメが形成されており、上記支持パネルを上記フレームの上部横枠と連結させた状態で、さらに、上記袋部材を上記フックに保持させることができる、請求項１ないし１０に記載の車輪付きカートに装着して使用するポケットシステム。
【請求項１２】
上記フレームには、上部が開口し、底部を有する袋部材が保持され、かつ、請求項１１に記載のポケットシステムが装着されていることを特徴とする、車輪付きカート。
【発明の詳細な説明】
【技術分野】
【０００１】
本発明は、ビルメンテナンスの現場で用いられる車輪付きカート等に装着される、清掃具等を収納できるポケットシステムに関する。
【背景技術】
【０００２】
このような車輪付きカートに装着される収納システムとしては、たとえば、特許文献１に記載されている袋部材が装着されたものや、特許文献２に記載されている収納棚が装着されたものなどが挙げられる。図１１に、袋部材９６０が装着された車輪付きカートＹ１の斜視図を示しており、図１２に、収納棚Ｘが装着された車輪付きカートＹ２の斜視図を示している。
【０００３】
図１１によると、車輪付きカートＹ１は、コの字状に折り曲げられて形成された一対の金属棒に、斜枠９１２と、下部横枠９１３と、横材９１５とが組み合わされたフレーム９１０と、フレーム９１０の下部に取り付けられた車輪９１４とで構成されている。収納袋９６０は、たとえば布製で、一方に開口し、開口縁から延出する係合部９５０を備えている。袋部材９６０は、係合部９５０をフレーム９１０に巻きつけ、たとえば、面着ファスナなどによってその先端を固定することで、フレーム９１０に係合させることができる。このような袋部材９６０が装着された車輪付きカートＹ１は、たとえば、移動可能なゴミ入れとして使用することができる。また、袋部材９６０を外し、横材９１５を中央で折り曲げることで、車輪付きカートＹ１は折り畳むことができる。
【０００４】
図１２によると、車輪付きカートＹ２は、上部横枠９１１と、斜枠９１２と、下部横枠９１３と、上部横枠９１１から延出する取っ手９７０と、からなるフレーム９１０と、フレーム９１０の下部に取り付けられた車輪９１４とで構成されている。この車輪付きカートＹ２は、車輪付きカートＹ１と同様に折り畳むことができる。収納棚Ｘは、対向する一対の壁材９２１，９２２と、壁材９２１，９２２に形成されたポケット９３０と、壁材９２１，９２２の上部から延出する係合部９５０と、壁材９２１，９２２の下部を繋ぐ底部９６０と、壁材９２１，９２２の間の適所に仕切りを設けて形成された棚９８１，９８２，９８３とを備えている。この収納棚Ｘは、棚９８１，９８２，９８３と、ポケット９３０とに、ほうき、モップ、ちり取り、雑巾、洗剤、スプレー等の各種の清掃用具を収納することができる。さらに、係合部９５０によって、収納棚Ｘは、車輪付きカートＹ２の上部横枠９１１に装着される。なお、係合部９５０の構造は、収納袋９６０の場合と同様である。このような収納棚Ｘが装着された車輪付きカートＹ２は、たとえば、移動可能な清掃具入れとして用いることができる。
【０００５】
しかしながら、たとえばビル等で清掃を行う際には、清掃具とゴミ入れの両方が必要であるため、車輪付きカートＹ１を車輪付きカートＹ２の取っ手９７０がある側の反対側に連結するなどして、両方のカートを押しながら移動する必要があった。このように、一人の作業者に二つのカートが必要であるのは経済的ではなく、また、作業者にとっても移動の際に不便であった。さらに、作業者の好みや作業の内容によって、清掃道具の形状や数は変化があるのに対し、収納棚Ｘにおける棚９８１，９８２，９８３およびポケット９３０は壁材９２１，９２２に固定されているので、個々のニーズに対応することが出来なかった。
【０００６】
【特許文献１】特開２０００−２５９０４号公報
【特許文献２】特開平１１−１２９９１１号公報
【発明の開示】
【発明が解決しようとする課題】
【０００７】
本発明は上記の事情によって考え出されたものであり、ゴミ入れを搭載したカートに清掃具を収納するためのポケットを設けることができ、かつ、清掃道具の形状や数にあわせてポケットの大きさや数を変えることができるポケットシステムの提供を課題としている。
【課題を解決するための手段】
【０００８】
上記の課題を解決するため、本発明では、次の技術的手段を採用した。
【０００９】
本発明の第１の側面に係るポケットシステムは、フレームと、このフレームの下部に設けられた車輪とを有し、上記フレームは、上部横枠と、この上部横枠の下方に位置する下部横枠とを備えている、車輪付きカートに装着して使用するポケットシステムであって、上記フレームの上部横枠に対して上縁部が連結され、所定の横幅と所定の縦幅とを有するとともに、下縁部に連結一方部材が設けられた支持パネルと、所定の横幅と所定の縦幅とを有するパネル部材の前面にポケットが形成されているとともに、上縁部に上記連結一方部材に連結可能な連結他方部材を備える複数種類のポケット部材と、を備えており、上記複数種類のポケット部材に形成された上記連結他方部材は、上記複数種類のポケット部材を、その横幅方向おいて並べ替え可能な構造であり、上記複数種類のポケット部材は、少なくとも、その上縁部が上記支持パネルに連結され、下縁部が上記フレームの下部横枠に連結される第１のポケット部材と、その上縁部が上記支持パネルに連結され、下縁部が他のポケット部材の上縁部に連結される第２のポケット部材とを含んでいることを特徴とする。
【００１０】
このような構成によれば、上記支持パネルに連結される上記複数種類のポケット部材は、取り外して組み換えることが可能となっている。このため、上記車輪付きカートを使用する作業者は、上記複数種類のポケット部材として、自分の使いやすいサイズのポケットを有するものを選択し、上記支持パネルに取り付けることができる。また、上記第１のポケット部材は、その下縁部が上記フレームの下部横枠に連結されるので、上記車輪付きカートが移動中の段差などで揺れた場合にも、上記第１のポケット部材が大きく揺れるのを抑えることができる。したがって、上記第１のポケット部材に収納されたものが上記車輪付きカートの移動時に落下するようなことが起こらず、作業を円滑に進めることができる。なお、上記第１のポケット部材は、複数のポケット部材が組み合わされたものであってもよい。
【００１１】
好ましい実施の形態においては、上記連結一方部材および上記連結他方部材として、互いに嵌合するホックを用いている。このような構成によれば、上記支持パネルと上記ポケット部材とを付け外ししやすくなる。
【００１２】
好ましい実施の形態においては、上記複数種類のポケット部材の一部もしくは全部において、その上縁部が板状部材を内包する袋状に形成されている。このような構成によれば、ポケット内に荷物等が入った際に、板状部材が内包された上縁部は荷物の重さで変形しにくくなる。このため、上縁部が板状部材を内包するポケット部材は、上記支持パネルに安定して取り付けることができる。
【００１３】
好ましい実施の形態においては、上記複数種類のポケット部材はさらに、上記第２のポケット部材の下縁部に上縁部が連結され、下縁部が上記フレームの下部横枠に連結される第３のポケット部材を含んでいる。このような構成によれば、上記第３のポケット部材の下縁部が上記フレームの下部横枠に連結されるので、上記第３のポケット部材と、これに連結された上記第２ポケット部材とが、上記車輪付きカートの振動で大きく揺れることがない。したがって、上記第２のポケット部材または上記第３のポケット部材に収納されたものが上記車輪付きカートの移動時に落下するようなことが起こらず、作業を円滑に進めることができる。
【００１４】
好ましい実施の形態においては、上記第２のポケット部材と上記第３のポケット部材との連結は、上記第２のポケット部材の下縁部に設けた連結一方部材に上記第３のポケット部材の上縁部に設けた連結他方部材を連結することにより行う。このような構成によれば、上記第３のポケット部材の上縁部の連結他方部材は上記第２のポケット部材の上縁部の連結他方部材と同じ形状のものを用いることができる。したがって、第３のポケット部材を直接上記支持パネルへ取り付けて使用することもでき、上記複数のポケット部材を組み替えて使用しやすくなっている。
【００１５】
好ましい実施の形態においては、上記第１から第３のポケット部材の少なくともいずれかは、その上縁部に環状体形成手段を有している。このような構成によれば、たとえば、上記環状体形手段を有するポケット部材を、環状体に腰のベルトを通すことでポーチとしたり、環状体を手で持ち携帯用の袋として持ち運んだりなど、単独で用いることができる。
【００１６】
好ましい実施の形態においては、上記第１のポケット部材または上記第３のポケット部材の下縁部の上記フレームの下部横枠に対する連結は、各ポケット部材の下縁部に設けた連結手段を上記下部横枠に巻き付けて行う。このような構成によれば、連結を速やかに行うことができ、作業が円滑に行えるようになる。
【００１７】
好ましい実施の形態においては、上記第２のポケット部材または上記第３のポケット部材は、横幅が異なる複数種類のものを含んでいる。このような構成によれば、収納するものの種類や大きさに合わせて、適当なポケット部材を選択することができる。
【００１８】
好ましい実施の形態においては、上記第２ポケット部材と上記第３のポケット部材は、いずれも、上縁部に連結他方部材を備えるとともに、下縁部に連結一方部材と連結手段とを備え、上縁部が上記支持パネルに連結され、下縁部が他のポケット部材に連結される上記第２のポケット部材としても、上縁部が他のポケット部材の下縁部に連結され、下縁部が上記フレームの下部横枠に連結手段を介して連結される第３のポケット部材としても、共通に用いることができる。このような構成によれば、上記第２のポケット部材と上記第３のポケット部材は、互いに入れ替えて使用することができ、同様の構造であるため効率的に製造することができる。
【００１９】
好ましい実施の形態においては、上縁部が上記フレームの上部横枠に連結され、下縁部が連結手段を介して上記フレームの下部横枠に連結され、パネル部材の前面にポケットが形成された第４のポケット部材をさらに含んでいる。このような構成によれば、上記第４のポケット部材は、上記フレームの上部横枠から上記下部横枠まで延びるポケット部材とすることが可能であり、たとえば、箒やモップのような柄の長いものを収納するのに便利である。
【００２０】
好ましい実施の形態においては、上記車輪付きカートは、上部が開口し、底部を有する袋部材を支持するためのフックを上記フレームの上部横枠に複数個備えており、上記支持パネルの上縁部には上記フックに連結させることができる複数のハトメが形成されており、上記支持パネルを上記フレームの上部横枠と連結させた状態で、さらに、上記袋部材を上記フックに保持させることができる。このような構成によれば、上記袋部材と上記支持パネルとを同じフックに保持させることができるので、構造が煩雑になることを避けることができる。
【００２１】
本発明の第２の側面に係る車輪付きカートは、上記フレームには、上部が開口し、底部を有する袋部材が保持され、かつ、本発明の第１の側面に係るポケットシステムが装着されていることを特徴とする。
【００２２】
本発明のその他の特徴および利点は、図面を参照して以下に行う詳細な説明から、より明らかとなろう。
【発明を実施するための最良の形態】
【００２３】
図１〜１０に、本発明に係るポケットシステムの一実施形態を示す。本発明に係るポケットシステムは車輪付きのカート等に装着して用いられ、図１には、ポケットシステムＡが装着された車輪付きカートＢを斜視図で示している。図２には、ポケットシステムＡと、車輪付きカートＢと、車輪付きカートＢに搭載される袋部材６０とを、図１における上方から見た平面図で示している。袋部材６０は、たとえばゴミなどを入れるための底部と開口部とを有する袋であり、その開口部には複数の孔が形成されている。図３には、図１に示されたポケットシステムＡの背面を示しており、図４は図３のIV−IV線に沿う断面図であり、図５は図３のV−V線に沿う断面図であり、図７は図３のVII−VII線に沿う断面図である。なお、以下の説明では、図１に表示されている側の面をポケットシステムＡの表面とし、その反対側を背面とする。図８および図９は、それぞれポケットシステムＡの下側と車輪付きカートＢとの連結部分の例を断面図で示している。図１０はポケットシステムＡの一部をポケットシステムＡから切り離して使用する場合の一例を断面図で示している。
【００２４】
車輪付きカートＢは、上部横枠１１ａ，１１ｂ、斜枠１２ａ，１２ｂおよび下部横枠１３ａ，１３ｂからなる金属製のフレーム１０と、車輪１４と、横材１５と、フック１７とを備えている。上部横枠１１ａ，１１ｂは、所定の間隔を空けて並列しており、それぞれの両端から斜枠１２ａ，１２ｂが延出している。斜枠１２ａと斜枠１２ｂは互いに交差し、その交差点はボルトおよびナットで直結され、この交差点を支点として上部横枠１１ａと上部横枠１１ｂとが近づくように斜枠１２ａ，１２ｂを回転させることができる。下部横枠１３ａは上部横枠１１ｂの両端から延びる斜枠１２ｂの下端部の一方から他方へ延びており、下部横枠１３ａの両端は斜枠１２ｂに固定されている。同様に、下部横枠１３ｂは、上部横枠１１ａの両端から延びる斜枠１２ａの下端部の一方から他方へ延びており、下部横枠１３ｂの両端は斜枠１２ａに固定されている。車輪１４は、斜枠１２ａ，１２ｂの下端に取り付けられている。横材１５は、その一端において下部横枠１３ａが貫通しており、もう一方の端において下部横枠１３ｂが貫通しており、その中心部１５ａにおいて折り曲げ可能なように構成されている。この横材１５は、所定の間隔をあけて２箇所に設置されており、２つの横材１５間は複数の棒状部材１６で連結されている。フック１７は、上部横枠１１ａの内側に３個、上部横枠１１ｂの内側に３個形成されている。
【００２５】
この車輪付きカートＢは、図２に示すように、フック１７にポケットシステムＡおよび袋部材６０を吊り下げることができ、車輪１４を有するので、それらを載せて移動させることができる。また、斜枠１２ａ，１２ｂがその交差点を軸に回転可能であり、横材１５が中心部１５ａで折り曲げ可能であるので、使わないときには折り畳んで収容しておくことができる。
【００２６】
ポケットシステムＡは、支持パネル２０と、ポケット部材３１，３２，３３，３４，３５とを備えて構成されている。ポケット部材３１は本発明に係る第１のポケット部材に、ポケット部材３２は本発明に係る第２のポケット部材に、ポケット部材３３，３４は本発明に係る第３のポケット部材に、ポケット部材３５は本発明に係る第４のポケット部材に、それぞれ相当する。なお、図３に示すポケットシステムＡの背面図では、下部横枠１３ａを仮想線で示し、ポケット部材３１，３３，３４，３５と下部横枠１３ａとが連結されていない状態を示している。
【００２７】
支持パネル２０は、図３に示すように、その上縁部にフック１７に引っ掛けるためのハトメ２１を３個備えており、その下縁部に、連結一方部材として、等間隔で一直線状に並ぶように配置された雄ホック４２を６個備えている。図４に示すように、支持パネル２０は、ハトメ２１にフック１７を通すことで上部横枠１１ａに連結されている。また、その表面側に凸部が形成された雄ホック４２を、ポケット部材３１，３２，３３，３４の背面側に凹部が形成された雌ホック４１と嵌合させることで、ポケット部材３１，３２，３３，３４を吊り下げることができる。
【００２８】
ポケット部材３１は、その上縁部に、連結他方部材として、雌ホック４１を２個備えており、雌ホック４１より下側にポケット部材３１の下端付近まで延びるポケット３１ａと、ポケット３１ａに重なるように形成されたポケット３１ｂとが形成されている。さらに、ポケット部材３１の下端部の背面側には所定の間隔を空けて面着ファスナ５１，５２が形成されている。なお、２個の雌ホック４１の間隔は、支持パネル２０に配置された雄ホック４２の隣接するもの同士の間隔と等しくなっている。ポケット３１ａは比較的深さのあるポケットなので、モップやモップヘッドなどの大きめの清掃具を収容するのに適している。ポケット３１ｂは比較的浅いポケットなので、交換用の小型のモップヘッドや、タオルや、ゴミ袋などを収容するのに適している。ポケット３１ａにこれらのものを入れると、その重さによってポケット部材３１ａの上縁部が湾曲し、雌ホック４１の位置がずれるおそれがある。このため、図６に示すように、ポケット部材３１の上縁部の特に雌ホック４１付近は、内部に硬質の板状部材３１ｃが入った袋状に形成されていることが好ましい。なお、図６は、支持パネル２０とポケット部材３１との連結部分の断面拡大図である。
【００２９】
図５に示すように、雌ホック４１は、背面側に雄ホック４２と嵌合する凹部が形成されており、雄ホック４２と嵌合することで、ポケット部材３１を支持パネル２０に連結させることができる。さらに、図８に示すように、ポケット部材３１の下縁部を下部横枠１３ａに巻きつけ、面着ファスナ５１，５２を貼り合わることで、ポケット部材３１の下縁部と下部横枠１３ａとを連結させることができる。
【００３０】
ポケット部材３２は、図１および図３に示すように、その上縁部に雌ホック４１を３個備えており、雌ホック４１よりも下側に、ポケット部材３２の下端付近まで延びるポケット３２ａが形成されており、下縁部に雄ホック４２を３個と、下縁部の裏面にベルト３６とを備えている。雌ホック４１および雄ホック４２は、支持パネル２０における雄ホック４２の配置と対応するように等間隔に配置されている。図７に示すように、このポケット部材３２は、ポケット部材３１と同様に雌ホック４１を支持パネル２０表面の雄ホック４２と嵌合させることで、支持パネル２０に連結させることができる。また、ポケット部材３２は、ポケット部材３１の半分程度の上下幅であり、横幅はポケット部材３１よりも長くなっている。このため、ポケット部材３１は支持パネル２０から不当に外れにくくなっており、下縁部に他のポケット部材を安定して取り付けることができる。なお、ポケット部材３２の横幅に合わせて形成されるポケット３２ａは比較的幅の広いポケットであり、交換用のモップヘッドなどを収容することができる。また、ポケット部材３２の上縁部も、ポケット部材３１の上縁部と同様に内部に硬質の板状部材が入った袋状に形成されていることが好ましい。
【００３１】
ポケット部材３３は、その上縁部に雌ホック４１を備えており、雌ホック４１よりも下側にポケット部材３３の下端付近まで延びるポケット３３ａが形成されており、このポケット３３ａの開口付近に雄ホック４３を備え、下縁部に雄ホック４２と、下縁部の背面にベルト３６とを備えている。このポケット部材３３は、ポケット部材３２と同程度の上下幅であり、雌ホック４１をポケット部材３２の雄ホック４２に取り付けることで、ポケット部材３２の下に吊り下げることができる。ポケット３３ａは、比較的小さなポケットであるので、洗剤入れやスプレーなどの小物を入れるのに用いられる。雄ホック４３は、雄ホック４１と同様の構造であるが、ポケット部材３３の背面に凸部が形成されるように配置されている。また、ポケット部材３３の上縁部も、ポケット部材３１の上縁部と同様に内部に硬質の板状部材が入った袋状に形成されていることが好ましい。
【００３２】
ベルト３６は、長部３６ａと短部３６ｂとで構成されており、図７には両者を結合させる前の状態が示されており、図９には両者を結合させて下部横枠１３ａに巻き付けた状態が示されている。図７および図９に示すように、長部３６ａの一端はポケット部材３３の下端部に縫合などによって固定されており、もう一方の端部の表面には雄ホック４４の凸部が形成されている。短部３６ｂの一端は、長部３６ａの一端に重なるように固定されており、もう一方の端部の表面には雌ホック４５の凹部が形成されている。雄ホック４４と雌ホック４５とを嵌合させることで、長部３６ａと短部３６ｂは一体となり、ベルト３６は環状となる。この環状のベルト３６を下部横枠１３ａに巻き付けることで、ポケット部材３３の下縁部を下部横枠１３ａに連結させることができる。なお、ベルト３６を環状にすれば下部横枠１３ａに連結させることはできるので、雄ホック４４および雌ホック４５の向きや配置は上記の例に限らず様々なパターンが実施可能である。また、ベルト３６は、ポケット部材３３だけではなく、他のポケット部材３２，３４，３５などにも形成されており、それらの構造もポケット部材３３に形成されているベルト３６と同様である。
【００３３】
ポケット部材３４は、その上縁部に雌ホック４１を２個備えており、雌ホック４１よりも下側にポケット部材３４の下端付近まで延びるポケット３４ａが形成されており、下縁部に雄ホック４２を２個と、下縁部の背面にベルト３６とを備えている。雌ホック４１同士の間隔および雄ホック４２同士の間隔は、パネル部材２０の雄ホック４２の隣接するもの同士の間隔と等しい。このポケット部材３４は、ポケット部材３３と同様に、雌ホック４１によってポケット部材３２に連結させることができ、ベルト３６によって下部横枠１３ａに連結させることができる。ポケット３４ａはポケット３３ａよりは幅が広いポケットであるが、比較的小さいので、タオル、ゴミ袋、布切れ、トイレットペーパーなどを入れるのに用いられる。また、ポケット部材３４の上縁部も、ポケット部材３１の上縁部と同様に内部に硬質の板状部材が入った袋状に形成されていることが好ましい。
【００３４】
ポケット部材３５は、その上縁部に上記支持パネル２０の上縁部に設けたハトメ２１と同様のハトメを備え、このハトメよりも下方からポケット部材３５の下縁付近まで延びるポケット３５ａ，３５ｂと、ポケット３５ａ，３５ｂの開口部分よりも上縁寄りにストッパ３５ｃとが形成されており、その下縁部にベルト３６を備えている。このポケット部材３５は、上記ハトメをフック１７にかけることで、上部横枠１１ａに連結され、ベルト３６によって下部横枠１３ａに連結される。図２に示すように、このポケット部材３５は、支持パネル２０と横枠１１ａとの間に挟まれるようにフック１７に連結されている。このようにすると、ポケット３５ａの開口部分が、支持パネル２０の下縁部よりも上にくる場合にも対応することができる。ポケット３５ａ，３５ｂは上下に細長くなるように形成されており、モップ柄などの長柄のものを収納するのに適している。このポケット部材３５の上縁部は、ポケット３５ａ，３５ｂに収納したものの重さがハトメにかかるため、変形するおそれがある。このため、他のポケット部材３１，３２，３３，３４と同様に、その上縁部が内部に硬質の板状部材が入った袋状に形成されていることが好ましい。
【００３５】
ストッパ３５ｃは、先端に面着ファスナが形成されたベルト状の部分と、ポケット部材３５本体に密着し、面着ファスナが形成された土台部分とで構成されている。ストッパ３５ｃは、ベルト状の部分と土台部分とを面着ファスナで連結することで環状部を形成でき、この環状部をポケット３５ａ，３５ｂの一方もしくは両方に入れられた柄体に巻きつけることで柄体を固定することができる。このため、ポケット部材３５は、長柄の清掃具等を安定して収納することができる。
【００３６】
次に、上記構成のポケットシステムＡの作用について説明を行う。
【００３７】
上記のようなポケットシステムＡは、上部横枠１１ａに形成されたフック１７に支持パネル２０の孔２１を係合させ、その後に、上部横枠１１ａ，１１ｂに形成されたフック１７に袋部材６０を吊り下げることで、袋部材６０と同時に車輪付きカートＢに装着できる。このため、一台のカートで清掃具とゴミ袋とを同時に運ぶことが可能となり、作業の効率を上げることができる。また、このポケットシステムＡは、支持パネル２０と、それぞれ横幅や上下幅が異なるっているポケット３１ａ，３１ｂ，３２ａ，３３ａ，３４ａ，３５ａ，３５ｂを有する５種類のポケット部材３１，３２，３３，３４，３５とで構成されている。したがって、このポケットシステムＡは、ポケット部材３１，３２，３３，３４，３５をそれぞれ複数用意することで、作業の内容にあわせ、作業者の好みのサイズのポケットを選択して組み立てることができる。
【００３８】
上記の実施形態では、ポケット部材３１，３２，３３，３４，３５をすべて用いているが、たとえば小物をより多く小分けにして収納したい場合には、ポケット部材３４の代わりにポケット部材３３を２つ取り付けることができる。また、ポケット３１ａのように大き目のものを収容するスペースが不要な場合は、ポケット部材３１の代わりにポケット部材３４を二つ連ねたものを用いてもよい。また、ポケット部材３２の代わりにポケット部材３３とポケット部材３４を並べて用いてもよい。このように、作業で使用する道具に合わせてポケット部材を自由に選び組み合わせることができるので、道具を自分に使いやすいように配置することなどが可能となる。このため、道具の取り出しや収納を適切に行えるようになり、作業効率を向上させることができる。
【００３９】
また、ポケットシステムＡにおける各ポケット部材３１，３２，３３，３４，３５はいずれも下部横枠１３ａと連結可能なように構成されているので、どのポケット部材が一番下に来ても、下部横枠１３ａと連結させることができる。このため、車輪付きカートＢが揺れた場合にもポケット部材３１，３２，３３，３４，３５が大きく揺れることがない。このため、ポケットシステムＡに収納したものが移動中に落ちたりすることが起こりにくく、効率的に作業を行うことが可能となる。なお、ポケット部材３１，３２，３３，３４，３５の下縁部と、下部横枠１３ａとの連結手段として、面着ファスナ５１，５２を用いる方法とベルト３６を用いる方法のどちらを実施するかは自由に選択できる。また、他の連結手段によっても実施可能である。
【００４０】
さらに、ポケット部材３３は、図１０に示すように、雌ホック４１と雄ホック４３とを嵌合させ、環状体３３ｂを形成することができる。この環状体３３ｂに、作業者が腰に巻いたベルト７０などを係合させることで、ポケット部材３３は腰から下げるポーチとして用いることもできる。このため、ポケット部材３３を複数用意しておけば、ポケットシステムＡの組み合わせの種類が豊富になり、かつ、ポーチとしても利用可能であるので、組み合わせの際に余った分を有効に利用できる。また、ベルト３６あるいは雄ホック４１と同じ型の雄フックが先端に形成されたベルトをポケット部材３１，３２，３３，３４の上縁部の背面に設けることでも、環状体を形成することができる。いずれの場合もフックによってベルトを環状体に形成することができ、ポケット部材３１，３２，３３，３４をそれぞれ単独で持ち運べる収納具として用いることができる。したがって、図１０に示したポケット部材３３の場合と同様に、組み合わせの際に余った分を有効に利用できる。
【００４１】
作業者によっては、清掃道具などが露出し、すれ違う人に見られることを嫌がる人もいるが、ポケットシステムＡにおいては、支持パネル２０とポケット部材３５とをフックにかける際に逆向きにすることで、収納物が外から見えなくすることが可能である。
【００４２】
本発明に係るポケットシステムＡは、上述した実施形態に限定されるものではない。たとえば、上記の実施形態では、連結一方部材として雄ホック４２を、連結他方部材として雌ホック４１を採用しているが、これらを入れ替えても構わないし、別の連結手段を用いてもよい。また、上記の実施形態では、支持パネル２０の下にポケット部材３２，３３，３４を２段に連ねる場合を示しているが、これらをより多く連ねる場合も本発明の範囲内である。さらに、支持パネル２０に設置する雄ホック４２の数を増やしてもよい。ポケット３１ｂの位置やサイズも変更可能であり、ポケット部材３１ｂを形成しない場合もありえる。
【００４３】
また、上記の実施形態では、車輪付きカートＢに設けたフックに袋部材６０およびポケットシステムＡを引っ掛けることでそれらを支持しているが、他の方法を用いてかまわない。たとえば、ポケットシステムＡの支持パネル２０の上縁部を延出させ、フレーム１０に巻きつけ、その先端をファスナで止める方法を用いる方法も可能である。
【図面の簡単な説明】
【００４４】
【図１】本発明に係るポケットシステムを装着した車輪つきカートの一例を示す斜視図である。
【図２】図１における上方から図１の車輪つきカートを見た平面図である。
【図３】図１に示したポケットシステムの背面図である。
【図４】図３のIV−IV線に沿う断面図である。
【図５】図３のV−V線に沿う断面図である。
【図６】本発明に係る支持パネルとポケット部材との連結部の断面拡大図である。
【図７】図３のVII−VII線に沿う断面図である。
【図８】ポケット部材と下部横枠との連結手段の一例を示す断面図である。
【図９】ベルトを下部横枠に連結させた状態を示す断面図である。
【図１０】本発明に係るポケットシステムの一部の使用例である。
【図１１】従来の袋部材を備えた車輪付きカートの一例である。
【図１２】従来の収納棚を備えた車輪付きカートの一例である。
【符号の説明】
【００４５】
Ａ                              ポケットシステム
Ｂ                              車輪付きカート
１０                            フレーム
１１ａ，１１ｂ                  上部横枠
１２ａ，１２ｂ                  斜枠
１３ａ，１３ｂ                  下部横枠
１４                            車輪
１５                            横材
１５ａ                          中央部
１６                            棒状部材
１７                            フック
２０                            支持パネル
２１                            ハトメ
３１，３２，３３，３４，３５    ポケット部材
３１ａ，３１ｂ，３２ａ，３３ａ  ポケット
３１ｃ                          板状部材
３４ａ，３５ａ，３５ｂ          ポケット
３３ｂ                          環状体
３５ｃ                          ストッパ
３６                            ベルト
３６ａ                          長部
３６ｂ                          短部
４１，４５                      雌ホック
４２，４３，４４                雄ホック
５１，５２                      面着ファスナ
６０                            袋部材
７０                            ベルト
【図１】
2008104787.tif 000003
【図２】
2008104787.tif 000004
【図３】
2008104787.tif 000005
【図４】
2008104787.tif 000006
【図５】
2008104787.tif 000007
【図６】
2008104787.tif 000008
【図７】
2008104787.tif 000009
【図８】
2008104787.tif 000010
【図９】
2008104787.tif 000011
【図１０】
2008104787.tif 000012
【図１１】
2008104787.tif 000013
【図１２】
2008104787.tif 000014